(57)【要約】  アイウエアは、１対のレンズと、レンズのそれぞれの内側端部に連結された１対の取り外し可能なコネクタと、レンズのそれぞれの外側端部に連結された１対のつると、つるの後端部間に連結されたストラップとを具備する。ストラップは、さらに、つるの後端部に連結されたほぼ平行な脚を有することを特徴とし、遷移セグメントが、着用時にほぼ平行な脚から使用者の頭の後ろに延びた弧状ベースまで延びている第１の形状を有する。遷移セグメントは、使用者によって曲げられることが可能であり、これにより、遷移セグメントが第１の形状から第２の形状に変えられ、使用者によってさらに曲げられない限り第２の形状が維持される。
2016541015.tif 000002
【特許請求の範囲】
【請求項１】
１対のレンズと、
前記レンズのそれぞれの内側端部に連結され、一緒に固定して連結可能であり、互いに取り外し可能である、１対の取り外し可能なコネクタと、
前記レンズのそれぞれの外側端部に連結された１対のつると、
前記つるの後端部間に連結されたストラップとを具備し、
前記ストラップは、前記コネクタが解除されたときにその形状をほぼ保持するのに十分な堅さであり、かつ、撓んだときに曲げられることが可能であり、かつ解除されたときに元に戻るのに十分な弾性を有し、
前記ストラップは、前記つるの後端部に連結されたほぼ平行な脚を有し、
遷移セグメントが、第１の形状を有し、着用時に前記ほぼ平行な脚から使用者の頭の後ろに延びている弧状ベースまで延び、
前記遷移セグメントは、ワイヤコアを有し、
前記ワイヤコアは、使用者によって曲げられることが可能であり、これにより、前記遷移セグメントが前記第１の形状から第２の形状に変えられ、使用者によってさらに曲げられない限り前記第２の形状が維持されるアイウエア。
【請求項２】
前記遷移セグメントは、シースで囲まれた展性ワイヤのコアを含む請求項１に記載のアイウエア。
【請求項３】
前記シースは、ゴム又はプラスチックを含む請求項２に記載のアイウエア。
【請求項４】
前記コアは、洋白と銅とからなるグループから選択された展性ワイヤを含む請求項２に記載のアイウエア。
【請求項５】
１対のレンズと、
前記レンズのそれぞれの内側端部に連結され、一緒に固定して連結可能であり、互いに取り外し可能である、１対の取り外し可能なコネクタと、
前記レンズのそれぞれの外側端部に連結された１対のつると、
前記つるの後端部間に連結されたストラップとを具備し、
前記ストラップは、前記コネクタが解除されたときにその形状をほぼ保持するのに十分な堅さであり、かつ、撓んだときに曲げられることが可能であり、かつ解除されたときに元に戻るのに十分な弾性を有し、
前記ストラップは、前記つるの後端部に連結されたほぼ平行な脚を有し、
遷移セグメントが、第１の形状を有し、着用時に前記ほぼ平行な脚から使用者の頭の後ろに延びている弧状ベースまで延び、
前記遷移セグメントは、ワイヤコアを有し、
前記ワイヤコアは、使用者によって曲げられることが可能であり、これにより、前記遷移セグメントが前記第１の形状から第２の形状に変えられ、前記使用者の頭の後ろで前記弧状ベースの位置を変更するために使用者によってさらに曲げられない限り前記第２の形状が維持されるアイウエア。
【請求項６】
１対のレンズと、
前記レンズのそれぞれの内側端部に連結され、一緒に固定して連結可能であり、互いに取り外し可能である、１対の取り外し可能なコネクタと、
前記レンズのそれぞれの外側端部に連結された１対のつると、
前記つるの後端部間に連結されたストラップとを具備し、
前記ストラップは、前記コネクタが解除されたときにその形状をほぼ保持するのに十分な堅さであり、かつ、撓んだときに曲げられることが可能であり、かつ解除されたときに元に戻るのに十分な弾性を有し、
前記ストラップは、前記つるの後端部に連結されたほぼ平行な脚を有し、
遷移セグメントが、着用時に前記ほぼ平行な脚から使用者の頭の後ろに延びている弧状ベースまで延びている第１の形状を有し、
前記遷移セグメントは、使用者によって曲げられることが可能であり、これにより、前記遷移セグメントが前記第１の形状から第２の形状に変えられ、使用者の頭の後ろで前記弧状ベースの位置を変更するために使用者によってさらに曲げられない限り前記第２の形状が維持されるアイウエア。
【発明の詳細な説明】
【技術分野】
【０００１】
本出願は、「可撓性バンドを備えた拡張可能なアイウエア」との名称で２０１３年１１月１４日に出願された米国特許出願番号第１４／０８０，３６５号の利益及び優先権を主張し、その全体の内容が参照としてここに組み込まれる。
【０００２】
本発明は、スナップ係合式ブリッジの特徴を有するアイウエアに関する。
【背景技術】
【０００３】
本出願人は、米国特許第６，２５３，３８８号及び第７，９３１，３６６号の権利者である。‘３８８号特許に開示され主張された発明は、１対のレンズと、レンズのそれぞれの内側端部を連結している取り外し可能なコネクタと、レンズのそれぞれの外側端部に対して枢動可能な１対のつる部分と、平行な脚をつないでいる弧状ベースを含む、つる部分の後端部に取り付けられた堅いストラップとを有する。ストラップは、例えば、使用者のヘアスタイル、使用者によって着用されたヘルメット又は帽子を邪魔しないように、レンズの下に位置されることが教示されている。レンズの内側端部は、好ましくはマグネットであるコネクタによって互いに取り外し可能に固定されることが教示されている。アイウエアを位置決めするために、レンズは、まず、互いに離されて、外向きに枢動される。そして、ストラップが、使用者の頭の後部まわりを囲み、レンズが互いに向かって枢動されて、使用者の目の正面で一緒に固定される。レンズは、アイウエアをかけたり外したりするのを容易にするために即座に分離可能であり、安全かつ正確に適合するように即座に連結可能であることが教示されている。
【０００４】
本出願人の米国特許第７，９３１，３６６号は、使用者の頭の幅の変化に合わせてストラップを調節するために堅いストラップのほぼ平行な脚間の間隔を修正するように、弧状ベースの長さを選択的に変更するためにアイウエアのストラップの弧状ベース内に位置された入れ子式セグメントを用いることによる、‘３８８号特許に対する改良を示している。本出願人のアイウエアの適応性はかなり拡大しており、アイウエアがさまざまな頭のサイズの使用者によって受け入れられることを可能にしているが、本出願人によりこのアイウエアは追加的な修正によってよりいっそう有益となりうると判断された。
【０００５】
本出願人のアイウエアの弧状ベースは、撓んだときに曲げられ、かつ解除されたときに元に戻るのに十分な弾性を有し、さらに、その形成された方向付けを維持する傾向にあり、したがって、アイウエアが使用者に適合することを可能にするというよりも使用者がアイウエアに適合することを要求している。例えば、使用者のヘアスタイルがアイウエアの弧状ベースを邪魔するように構成されていると、アイウエアは使用者のニーズを満たすことができない。これにより、解除可能なコネクタが係合しなくなり接合を食い止めることとなり、したがって、アイウエアの使用を不可能ではないにしても困難にする。さらに、使用者には、通常の範疇から出た頭の形の人もおり、これもまた、弧状の堅いストラップではアイウエアが適合しにくくなりうる。
【先行技術文献】
【特許文献】
【０００６】
【特許文献１】米国特許第６，２５３，３８８号
【特許文献２】米国特許第７，９３１，３６６号
【発明の概要】
【０００７】
したがって、本発明の目的は、種々の使用者の必要性に応じるためにその方向付けを変更可能な、堅いストラップを有するアイウエアを提供することである。
【０００８】
これらの、及びさらなる目的は、補正された特許請求の範囲の以下の開示を考慮するとより容易に明白になる。
【０００９】
アイウエアが、１対のレンズと、前記レンズのそれぞれの内側端部に、又は前記レンズを支持するフレームに連結された１対の取り外し可能なコネクタとを具備する。コネクタは、固定して連結可能であり、互いに取り外し可能である。１対のつるが、前記レンズのそれぞれの外側端部に、又はこれらを支持するフレームに対して連結され、ストラップが、前記つるの後端部間に連結され、前記ストラップは、前記コネクタが解除されたときにその形状をほぼ保持するのに十分な堅さであり、かつ、撓んだときに曲げられることが可能で、その原形状へと元に戻るのに十分な弾性を有する。前記ストラップは、前記つるの後端部に連結されたほぼ平行な脚に装着され、遷移セグメントが、着用時に前記ほぼ平行な脚から使用者の頭の後ろに延びた弧状ベースまで延びている第１の形状を有する。好ましい実施形態として、前記遷移セグメントは、ワイヤコアを有し、前記ワイヤコアは、使用者によって曲げられることが可能であり、これにより、前記遷移セグメントが前記第１の形状から第２の形状に変えられ、使用者によってさらに曲げられない限り前記第２の形状が維持される。
【図面の簡単な説明】
【００１０】
【図１】図１は、米国特許第６，２５３，３８８号の主題であるアイウエアの斜視図である。
【図２】図２は、本発明のアイウエアの斜視図である。
【図３】図３は、使用者によって使用されている本発明のアイウエアの側面図である。
【図４】図４は、図２の４−４線に沿った本発明のアイウエアの横断面図である。
【発明を実施するための形態】
【００１１】
さらなる目的及びその効果と共に、構成及び動作方法に関して、本発明の特性である新規な特徴が、添付図面と共に考慮される以下の説明からよりよく理解され、本発明の好ましい実施形態が例によって図示される。しかしながら、図面は単なる図示目的であり、本発明の範囲を限定することを意図していないことが明確に理解される。本発明を特徴付けるさまざまな新規な特徴が、特許請求の範囲に特に記載される。
【００１２】
以下の詳細な説明がよりよく理解されることができるように、及び技術への寄与が評価されることができるように、上の要約において本発明のより重要な特徴が広範に概説されている。もちろん、ここに添付される特許請求の範囲の追加的な主題を形成する本発明の追加的な特徴がある。当業者は、この開示が基づく概念が、本発明のいくつかの目的を実行するための他の構造、方法及びシステムの設計のための基礎として利用されることができることを理解する。それ故、それらが本発明の趣旨及び範囲を逸脱しない限り、特許請求の範囲がそのような均等な構成を含むと見なされることが重要である。
【００１３】
所定の用語及びその派生語は、以下の説明において便宜的に、かつ単なる参照のために使用されることができ、限定するものではない。例えば、「上向き」、「下向き」、「左」及び「右」などの用語は、特に述べられない限り図面を参照した方向を示す。「内側」及び「外側」などの同様の用語も、それぞれ、装置や領域及びその指定した部分の幾何学的中心に向かう方向、及びそこから離れる方向を示す。特に述べられない限り、単数形の意味における参照は複数形を含み、その逆も成り立つ。
【００１４】
既に述べられたように、本出願人は、その米国特許第６，２５３，３８８号において、それぞれのフレーム１４に装着されたレンズ１０を含むアイウエアを教示している。コネクタ１１は、好ましくは、フレーム１４の内側端部に取り付けられているか、フレームがなければレンズ１０自身に取り付けられている。つる１２は、好ましくは、さまざまな着用者に適合するために入れ子になっている。この特徴なくスナップ係合式ブリッジを備えた本出願人のアイウエアを着用する試みによれば、しばしば、ブリッジのところの連結を不意に失ってしまい、レンズが分離してしまいうる。
【００１５】
本出願人の‘３８８号特許でさらに述べられるように、ストラップは、つる部分１２に連結されており、つる部分１２は、そこから下側セグメント１６に漸進的に延び、Ｕ字形ベース１３の使用によって反対のセグメント及びつる部分に連結している。フレーム１４に含まれるレンズ１０は、‘３８８号特許にさらに説明されるように、一般的にマグネット１１の使用によって使用者の鼻のブリッジのところで互いに解除可能に連結している。
【００１６】
使用者によって使用されたとき、特に、Ｕ字形ベース１３であるストラップ１３は、必ずしも使用者の頭の後ろの理想的な位置にあるとは限らない。なぜならば、使用者がこの堅い要素を邪魔する特定のヘアスタイルでありうるか、使用者の頭がストラップに理想的に適合しない形状でありうるかであるからである。使用者は、さらに、このようなアイウエアの理想的な使用を邪魔しうる帽子、キャップ又はサンバイザーをかぶっていることがある。本発明は、本出願人の米国特許第６，２５３，３８８号及び第７，９３１，３６６号に記載される最良のものとして、再び、本出願人の先のアイウエアを改良することを意図しており、その開示が参照としてここに組み込まれる。
【００１７】
本出願人の発明は、図２、図３並びに図４を参照して最もよく理解されることができる。特に、アイウエア２０には、レンズ４１、４４の（又は使用されたときのフレーム部材の）それぞれの内側端部を連結している１対の取り外し可能なコネクタ４５を含む１対のレンズ４１、４４が設けられ、コネクタ４５は、一緒に固定して連結可能であり、互いに取り外し可能である。１対のつる４２、４３が、レンズ４１、４４の、又はこれらのフレームのそれぞれの外側端部に連結されている。ストラップが、つる４２、４３の後端部間に連結され、ストラップは、コネクタ４５が解除されたときにその形状をほぼ保持するのに十分な堅さであり、かつ、撓んだときに曲げられることが可能であり、かつ解除されたときに元に戻るのに十分な弾性を有する。
【００１８】
図示されるように、ストラップはＵ字形状であり、つる４２、４３の後端部にそれぞれ連結されたほぼ平行な脚２５、２６を有する。着用時に、弧状ベース２３は、使用者の頭の後ろに沿って延びている。既に述べられたように、そのアイウエアの本出願人の先の反復適用において、弧状ベース２３のポジショニングは、変更されることができず、したがって、使用者のヘアスタイル又は頭の形をしばしば邪魔し、コネクタ４５への不適当な圧力を引き起こしてこのようなアイウエアを使用するのが困難となり、極端な場合には、コネクタ４５は解除するときに使用者をかなり落胆させる。
【００１９】
本発明は、第１の形状を有する遷移セグメント２１、２２を含み、これらセグメントは、つる部分４２、４３の後端部に連結されたほぼ平行な脚２５、２６から延びている。弧状ベース２３は、図３を参照して最もよく示されるように、着用時に使用者の頭の後ろに沿って延びるように両遷移セグメント２１、２２に連結している。
【００２０】
遷移セグメント２１、２２は、使用者によって曲げられることが可能であり、これにより、遷移セグメントが第１の形状から第２の形状に変えられ、さらに曲げられない限り第２の形状が維持される。これは、図３に示されるように、弧状ベース２３の上下の位置決めを変更し、弧状ベース２３が図３に仮想線２３ａ、２３ｂによって示されるように位置決めされることができる。
【００２１】
好ましい実施形態として、遷移セグメント２１、２２は、金属からなるワイヤコア２９を含むことができ、使用者によってワイヤコア２９を曲げることによりいったんその形状にされると、その形状を保持する。洋白及び銅などの材料が、ここに説明される機能を行うのに十分な展性を有することがわかっている。理想的には、ワイヤコア２９は、ゴム又はプラスチックである、すなわち、壊れることなく撓み、使用者の頭の側部のところで快適な接触点を与える材料からなることができる。
【００２２】
上の開示は、当業者が本発明を実行することを可能にするのに十分であり、本発明者によって熟考された本発明を実行する最良の方法を提供する。本発明の好ましい実施形態の十分で完全な開示がここに与えられるが、本発明を説明された特定の構造、寸法、関係又は操作に限定することは望ましくない。さまざまな変更、代替構造、変形及び均等物が、本発明の要旨及び目的を逸脱することなく適切なものとして使用されることができるし、当業者が容易に想到して適切に採用することができる。このような変更は、代替材料、構成要素、構造上の配置、サイズ、形状、形態、機能、操作上の特徴などを含むことができる。したがって、上の説明及び図示は、本発明の範囲の限定と見なされるべきでなく、本発明の範囲は添付の特許請求の範囲によって規定される。
【図１】
2016541015.tif 000003
【図２】
2016541015.tif 000004
【図３】
2016541015.tif 000005
【図４】
2016541015.tif 000006
【国際調査報告】
2016541015.tif 000007
2016541015.tif 000008
2016541015.tif 000009